(57)【要約】【課題】  製造しやすい充電器を提供する。【解決手段】  充電器は、ハウジングと、ハウジングに取り付けられたバッテリパックと電気的に接続される少なくとも一つのバッテリ接続端子と、ハウジングの内部に位置するとともに、少なくとも一つのバッテリ接続端子を支持しているターミナルベースと、ハウジングの内外に亘って延びているとともに、充電器を外部の電源に接続する電源コードとを備える。ハウジングは、第１部分と第２部分とを有し、第１部分と第２部分との間に、電源コードが通過するコード取り出し口を画定する。第１部分の内面には、電源コードの一部を所定の経路に沿って保持するコード保持部が設けられている。ターミナルベースは、ハウジングの第１部分に組み付けられているとともに、コード保持部に保持された電源コードの第１位置に当接する第１コード抑え部を有する。【選択図】図７
2020096412.tif 000002
【特許請求の範囲】
【請求項１】
バッテリパックを充電する充電器であって、
前記バッテリパックが着脱可能に取り付けられるハウジングと、
前記ハウジングに取り付けられたバッテリパックと電気的に接続される少なくとも一つのバッテリ接続端子と、
前記ハウジングの内部に位置するとともに、前記少なくとも一つのバッテリ接続端子を支持しているターミナルベースと、
前記ハウジングの内外に亘って延びているとともに、前記充電器を外部の電源に接続する電源コードと、を備え、
前記ハウジングは、第１部分と、前記第１部分に組み付けられた第２部分とを有し、前記第１部分と前記第２部分との間に、前記電源コードが通過するコード取り出し口を画定しており、
前記第１部分の内面には、前記電源コードの一部を所定の経路に沿って保持するコード保持部が設けられており、
前記ターミナルベースは、前記ハウジングの前記第１部分に組み付けられているとともに、前記コード保持部に保持された前記電源コードの第１位置に当接する第１コード抑え部を有する、
充電器。
【請求項２】
前記第１部分は、前記ハウジングの下側部分と上側部分の一方であり、
前記第２部分は、前記ハウジングの下側部分と上側部分の他方である、請求項１に記載の充電器。
【請求項３】
前記第１コード抑え部はさらに、前記コード保持部に保持された前記電源コードの第２位置に当接する、請求項１又は２に記載の充電器。
【請求項４】
前記第１位置における前記電源コードの長手方向と、前記第２位置における前記電源コードの長手方向は、互いに異なる、請求項３に記載の充電器。
【請求項５】
前記電源コードは、前記コード保持部において少なくとも一箇所の屈曲部を有する、請求項１から４のいずれか一項に記載の充電器。
【請求項６】
前記電源コードの前記第１位置は、前記電源コードの屈曲部に位置する、請求項５に記載の充電器。
【請求項７】
前記ハウジングの前記上側部分は、前記コード保持部に保持された前記電源コードの第３位置に当接する第２コード抑え部を有する、請求項１から６のいずれか一項に記載の充電器。
【請求項８】
前記電源コードの前記第３位置は、前記電源コードの長手方向において、前記電源コードの前記第１位置と前記ハウジングの前記コード取り出し口との間に位置する、請求項７に記載の充電器。
【請求項９】
前記第２コード抑え部はさらに、前記コード保持部に保持された前記電源コードの第４位置に当接する、請求項７又は８に記載の充電器。
【請求項１０】
前記電源コードの前記第１位置は、前記電源コードの長手方向において、前記電源コードの前記第３位置と前記第４位置との間に位置する、請求項９に記載の充電器。
【請求項１１】
前記ハウジングの内部に位置するとともに、前記電源コードに接続された回路基板をさらに備え、
前記ターミナルベースは、前記ハウジングの前記第１部分に組み付けられた回路基板に当接する基板抑え部をさらに有する、請求項１から１０のいずれか一項に記載の充電器。
【請求項１２】
前記コード保持部は、前記ハウジングの前記第１部分の前記内面から突出する複数の突出部を有し、前記複数の突出部の間に前記電源コードを保持する、請求項１から１０のいずれか一項に記載の充電器。
【請求項１３】
前記コード保持部の少なくとも一部は、前記ハウジングの前記第１部分の前記内面と前記ターミナルベースとの間に位置しており、
前記第１コード抑え部は、前記ターミナルベースから前記ハウジングの内面に向けて突出している、請求項１から１２のいずれか一項に記載の充電器。
【請求項１４】
前記少なくとも一つのバッテリ接続端子は、前記バッテリパックへ充電電力を出力する一対の電力接続端子を含む、請求項１から１３のいずれか一項に記載の充電器。
【請求項１５】
前記少なくとも一つのバッテリ接続端子は、前記バッテリパックとの間で信号を送信又は受信する信号接続端子を含む、請求項１から１４のいずれか一項に記載の充電器。
【請求項１６】
前記バッテリパックは、電気機器に着脱可能であるとともに、前記電気機器から取り外された状態で、前記ハウジングに取り付けられる、請求項１から１５のいずれか一項に記載の充電器。
【発明の詳細な説明】
【技術分野】
【０００１】
本発明は、電動工具といった電気機器に用いられるバッテリパックの充電器に関する。
【背景技術】
【０００２】
特許文献１に、バッテリパックの充電器が開示されている。この充電器は、コード取り出し口を有するハウジングと、コード取り出し口からハウジングの外部へ延びる電源コードと備える。ハウジングは、下側部分と上側部分とを有しており、下側部分と上側部分との間にコード取り出し口を画定している。
【先行技術文献】
【特許文献】
【０００３】
【特許文献１】特開２０１５−１６２９２６号公報
【発明の概要】
【発明が解決しようとする課題】
【０００４】
上記した充電器を製造するときは、先ず、ハウジングの下側部分に、回路基板や電源コードが収められる。次いで、ハウジングの下側部分に、ハウジングの上側部分が組み付けられる。ハウジングの下側部分に上側部分を組み付けるときは、ハウジングの下側部分から外部へ延びる電源コードを、コード取り出し口の位置に維持する必要がある。この点に関して、ハウジングの下側部分には、コード取り出し口に隣接して、電源コードの一部を保持するコード保持部が設けられている。これにより、ハウジングの下側部分に上側部分を組み付けるときは、電源コードがコード取り出し口に対して一応位置決めされている。しかしながら、ハウジングの下側部分に上側部分が組み付けられるまで、コード保持部は電源コードを着脱可能に保持しているので、電源コードがコード保持部から外れてしまうこともある。従って、ハウジングの下側部分に上側部分を組み付けるときは、電源コードの位置を気にする必要があり、これは作業効率を低下させる要因となっている。本明細書は、このような問題を少なくとも部分的に解決し得る技術を提供する。
【課題を解決するための手段】
【０００５】
本技術は、バッテリパックを充電する充電器を提供する。この充電器は、バッテリパックが着脱可能に取り付けられるハウジングと、ハウジングに取り付けられたバッテリパックと電気的に接続される少なくとも一つのバッテリ接続端子と、ハウジングの内部に位置するとともに、少なくとも一つのバッテリ接続端子を支持しているターミナルベースと、ハウジングの内外に亘って延びているとともに、充電器を外部の電源に接続する電源コードとを備える。ハウジングは、第１部分と、第１部分に組み付けられた第２部分とを有し、第１部分と第２部分との間に、電源コードが通過するコード取り出し口を画定している。第１部分の内面には、電源コードの一部を所定の経路に沿って保持するコード保持部が設けられている。ターミナルベースは、ハウジングの第１部分に組み付けられているとともに、コード保持部に保持された電源コードの第１位置に当接する第１コード抑え部を有する。特に限定されないが、第１部分は、前記ハウジングの下側部分と上側部分の一方であってよく、第２部分は、ハウジングの下側部分と上側部分の他方であってよい。
【０００６】
上記した充電器では、ターミナルベースに、第１コード抑え部が設けられている。第１コード抑え部は、コード保持部に保持された電源コードに当接して、電源コードがコード保持部から外れることを禁止又は抑制する。ここで、ターミナルベースは、ハウジングの内部に位置する部材であり、ハウジングの第１部分（例えば下側部分）に第２部分（例えば上側部分）が組み付けられる段階で、その第１部分に既に組み付けられている。従って、ハウジングの第１部分に第２部分が組み付けられるときに、電源コードがコード保持部から外れることが禁止又は抑制される。これにより、充電器の製造を効率よく行うことができる。
【図面の簡単な説明】
【０００７】
【図１】実施例の充電器１０の外観を示す斜視図。
【図２】充電器１０の外観を示す平面図。
【図３】充電器１０のハウジング１２の内部を示す斜視図。
【図４】充電器１０のハウジング１２の内部を示す平面図。
【図５】充電器１０の電気的な構成を示すブロック図。
【図６】ハウジング１２の下側部分３０のコード保持部３２を拡大して示す図。
【図７】ターミナルベース２０の第１コード抑え部２０ａを拡大して示す図。
【図８】ターミナルベース２０を単体で示す図。
【図９】コード保持部３２に対する第１コード抑え部２０ａ及び第２コード抑え部４０ａの位置関係を示す断面図。
【図１０】ハウジング１２の上側部分４０の第２コード抑え部４０ａを示す図。
【図１１】ターミナルベース２０の第１基板抑え部２０ｂ及び第２基板抑え部２０ｃを示す図。
【発明を実施するための形態】
【０００８】
本技術の一実施形態において、第１コード抑え部はさらに、コード保持部に保持された電源コードの第２位置に当接してもよい。即ち、第１コード抑え部は、コード保持部に保持された電源コードに対し、複数の位置で当接してもよい。このような構成によると、第１コード抑え部は、電源コードがコード保持部から外れることを、効果的に禁止又は抑制することができる。
【０００９】
上記した実施形態において、第１位置における電源コードの長手方向と、第２位置における電源コードの長手方向は、互いに異なってもよい。このような構成によると、第１コード抑え部は、電源コードがコード保持部から外れることを、さらに効果的に禁止又は抑制することができる。
【００１０】
本技術の一実施形態において、電源コードは、コード保持部において少なくとも一箇所の屈曲部を有してもよい。言い換えると、コード保持部が電源コードを保持する前記所定の経路は、少なくとも一箇所の屈曲部を有してもよい。このような構成によると、電源コードがコード保持部に強く保持されて、コード保持部から電源コードがより外れ難くなる。
【００１１】
上記した実施形態において、第１コード抑え部が当接する電源コードの第１位置は、電源コードの屈曲部に位置してもよい。このような構成によると、第１コード抑え部は、電源コードがコード保持部から外れることを、効果的に禁止又は抑制することができる。
【００１２】
本技術の一実施形態において、ハウジングの第２部分は、コード保持部に保持された電源コードの第３位置に当接する第２コード抑え部を有してもよい。このような構成によると、ハウジングの第１部分に第２部分が組み付けられた後は、第１コード抑え部と第２コード抑え部との両者によって、電源コードがコード保持部から外れることを抑制することができる。従って、第１コード抑え部の構造を、比較的に簡素にすることができる。
【００１３】
上記した実施形態において、第２コード抑え部が当接する電源コードの第３位置は、電源コードの長手方向において、第１コード抑え部が当接する電源コードの第１位置と、ハウジングのコード取り出し口との間に位置してもよい。但し、他の実施形態として、第１コード抑え部が当接する電源コードの第１位置が、電源コードの長手方向において、第２コード抑え部が当接する電源コードの第３位置と、ハウジングのコード取り出し口との間に位置してもよい。
【００１４】
上記した実施形態において、第２コード抑え部はさらに、コード保持部に保持された電源コードの第４位置に当接してもよい。即ち、第２コード抑え部は、コード保持部に保持された電源コードに対し、複数の位置で当接してもよい。このような構成によると、第２コード抑え部は、電源コードがコード保持部から外れることを、効果的に禁止又は抑制することができる。
【００１５】
上記した実施形態において、第１コード抑え部が当接する電源コードの第１位置は、電源コードの長手方向において、第２コード抑え部が当接する電源コードの第３位置と第４位置との間に位置してもよい。通常、ハウジングの第２部分は、ターミナルベースよりも大きい。従って、このような位置関係が満たされるように、ハウジングの第２部分の第２コード抑え部を、ターミナルベースの第１コード抑え部よりも、大きなサイズで設計しやすい。
【００１６】
本技術の一実施形態において、充電器は、ハウジングの内部に位置するとともに、電源コードに接続された回路基板をさらに備えてもよい。この場合、ターミナルベースは、ハウジングの第１部分に組み付けられた回路基板に当接する基板抑え部をさらに有してもよい。このような構成によると、ハウジングの内部において、回路基板の位置が安定する。
【００１７】
本技術の一実施形態において、コード保持部は、ハウジングの第１部分の内面から突出する複数の突出部を有し、複数の突出部の間に電源コードを保持してもよい。この場合、各々の突出部の形状は特に限定されず、例えばピン形状、壁形状又はブロック形状であってよい。
【００１８】
本技術の一実施形態において、コード保持部の少なくとも一部は、ハウジングの第１部分の内面とターミナルベースとの間に位置していてもよい。この場合、第１コード抑え部は、ターミナルベースから、ハウジングの第１部分のその内面に向けて突出していてもよい。但し、他の実施形態として、第１コード抑え部は、ターミナルベースとコード保持部との位置関係に応じて、様々な形状で設計されてもよい。
【００１９】
本技術の一実施形態において、少なくとも一つのバッテリ接続端子は、バッテリパックへ充電電力を出力する電力接続端子を含んでもよい。加えて、又は代えて、少なくとも一つのバッテリ接続端子は、バッテリパックとの間で信号を送信又は受信する信号接続端子を含んでもよい。
【００２０】
本技術の一実施形態において、バッテリパックは、電気機器に着脱可能であり、電気機器から取り外された状態で、充電器のハウジングに取り付けられてもよい。即ち、充電器は、電気機器から取り外された状態のバッテリパックを充電するように構成されてもよい。但し、他の実施形態として、充電器は、電気機器に取り付けられた状態のバッテリパックを充電するように構成されていてもよい。
【実施例】
【００２１】
図面を参照して、実施例の充電器１０について説明する。本実施例の充電器１０は、バッテリパック１００（図５参照）を充電する装置である。バッテリパック１００は、再充電可能な蓄電装置であり、例えば電動工具や電動作業機といった電気機器（図示省略）の電源として利用される。バッテリパック１００には、例えばリチウムイオンセルといった、複数の二次バッテリセル（図示省略）省略が内蔵されている。
【００２２】
図１−図５に示すように、充電器１０は、ハウジング１２を備える。ハウジング１２には、二つのバッテリインターフェース１４が設けられている。各々のバッテリインターフェース１４は、バッテリパック１００を着脱可能に受け入れる。充電器１０は、バッテリインターフェース１４にバッテリパック１００が取り付けられると、バッテリパック１００の充電を開始する。なお、バッテリインターフェース１４の数は二つに限定されない。充電器１０は、単一の、又は三つ以上のバッテリインターフェース１４を備えてもよい。
【００２３】
バッテリパック１００は、電気機器に着脱可能であり、電気機器から取り外された状態で、充電器１０のハウジング１２（即ち、バッテリインターフェース１４）に取り付けられる。即ち、充電器１０は、電気機器から取り外された状態のバッテリパック１００を充電する。但し、他の実施形態として、充電器１０は、電気機器に取り付けられた状態のバッテリパック１００を充電するように構成されていてもよい。この場合、バッテリインターフェース１４は、バッテリパック１００が取り付けられた電気機器が着脱可能に構成されてもよい。
【００２４】
バッテリインターフェース１４には、複数のバッテリ接続端子１６と、そのバッテリ接続端子１６を覆う端子カバー１８が設けられている。端子カバー１８は、バッテリ接続端子１６を覆う閉鎖位置と、バッテリ接続端子１６を露出させる開放位置との間で移動可能となっている。この点に関して、図２では、左側のバッテリインターフェース１４において閉鎖位置にある端子カバー１８が図示されており、右側のバッテリインターフェース１４において開放位置にある端子カバー１８が図示されている。実際は、端子カバー１８は閉鎖位置に付勢されており、バッテリパック１００がバッテリインターフェース１４に取り付けられたときだけ、端子カバー１８は開放位置へ移動する。
【００２５】
複数のバッテリ接続端子１６は、バッテリインターフェース１４に取り付けられたバッテリパック１００と電気的に接続される。特に限定されないが、複数のバッテリ接続端子１６には、一対の電力接続端子１６ａと、複数の信号接続端子１６ｂが含まれる。一対の電力接続端子１６ａは、バッテリパック１００へ充電電力を出力する。複数の信号接続端子１６ｂは、バッテリパック１００との間で信号を送信又は受信する。本実施例では、バッテリ接続端子１６に接触式の端子が採用されている。しかしながら、複数のバッテリ接続端子１６の一部又は全部は、バッテリパック１００と無線方式で接続される無線式接続端子（あるいは無線式接続ポート）であってもよい。また、充電器１０は、少なくとも一つのバッテリ接続端子１６を備えればよく、バッテリ接続端子１６の数については特に限定されない。
【００２６】
充電器１０は、ターミナルベース２０を備える。ターミナルベース２０は、ハウジング１２の内部に位置するとともに、複数のバッテリ接続端子１６を支持している。即ち、複数のバッテリ接続端子１６は、ハウジング１２に直接固定されておらず、ハウジング１２内に位置するターミナルベース２０によって支持されている。ターミナルベース２０は、複数のバッテリ接続端子１６を、僅かに揺動可能に支持している。これにより、ハウジング１２に対してバッテリパック１００が取り付けられたときに、バッテリパック１００に対する複数のバッテリ接続端子１６の位置が、受動的に調整される。ターミナルベース２０は樹脂材料で構成されており、絶縁性を有する。なお、ターミナルベース２０を構成する材料は樹脂材料に限定されず、他の絶縁性を有する材料であってよい。
【００２７】
充電器１０は、電源コード２２と、フィルタ基板２６と、第１充電基板２８ａと、第２充電基板２８ｂとを備える。電源コード２２は、ハウジング１２の内外に亘って延びており、充電器１０を外部の電源（例えば、コンセント）に接続する。フィルタ基板２６と第１充電基板２８ａと第２充電基板２８ｂは、ハウジング１２の内部に位置している。電源コード２２の先端は、ハウジング１２の外部に位置しており、プラグ２４が設けられている。電源コード２２の基端は、ハウジング１２の内部において、フィルタ基板２６に接続されている。フィルタ基板２６は、充電器１０から電源コード２２を通じて電磁的なノイズが出力されることを抑制するフィルタ回路を有する。
【００２８】
フィルタ基板２６は、第１充電基板２８ａと第２充電基板２８ｂとの各々に接続されており、電源コード２２から供給された電力を、第１充電基板２８ａと第２充電基板２８ｂとに分配する。第１充電基板２８ａは、一方のバッテリインターフェース１４に位置する複数のバッテリ接続端子１６と接続されている。第１充電基板２８ａは、充電制御回路を有しており、一方のバッテリインターフェース１４に取り付けられたバッテリパック１００の充電を制御する。同様に、第２充電基板２８ｂは、他方のバッテリインターフェース１４に位置する複数のバッテリ接続端子１６と接続されている。第２充電基板２８ｂについても、同じ構成の充電制御回路を有しており、他方のバッテリインターフェース１４に取り付けられたバッテリパック１００の充電を制御する。
【００２９】
ハウジング１２は、下側部分３０と上側部分４０とを有する。下側部分３０と上側部分４０との各々は、特に限定されないが、樹脂材料で構成されている。下側部分３０と上側部分４０とは互いに組み付けられ、それらの間に、前述した充電器１０の構成要素（例えばターミナルベース２０や回路基板２６、２８ａ、２８ｂ等）を収容する空間を画定している。ハウジング１２の上側部分４０には、前述したバッテリインターフェース１４が設けられている。ハウジング１２は、下側部分３０と上側部分４０との間に、電源コード２２が通過するコード取り出し口４２を画定している。
【００３０】
図６に示すように、ハウジング１２の下側部分３０は、コード保持部３２を有する。コード保持部３２は、下側部分３０の内底面に設けられており、電源コード２２の一部を当該内底面に沿って保持する。特に限定されないが、本実施例におけるコード保持部３２は、複数の突出部３２ａを有しており、複数の屈曲箇所を有する所定の経路に沿って、電源コード２２の一部を保持するように構成されている。従って、電源コード２２は、コード保持部３２において複数の屈曲部２２ａを有する。各々の突出部３２ａは、壁形状を有している。但し、複数の突出部３２ａの一部又は全部は、ピン形状やブロック形状といった、他の形状を有してもよい。コード保持部３２は、上方が開放されており、電源コード２２をその横方向から受け入れるように構成されている。ここで、電源コード２２の横方向とは、電源コード２２の長手方向に直交する方向を意味する。
【００３１】
図７−図９に示すように、ターミナルベース２０は、第１コード抑え部２０ａを有する。第１コード抑え部２０ａは、コード保持部３２に保持された電源コード２２に当接して、電源コード２２がコード保持部３２から外れることを抑制する。コード保持部３２の一部は、ハウジング１２の下側部分３０の内底面と、ターミナルベース２０との間に位置している。従って、第１コード抑え部２０ａは、ターミナルベース２０から、ハウジング１２の下側部分３０の内底面に向けて突出している。但し、他の実施形態として、第１コード抑え部２０ａは、ターミナルベース２０とコード保持部３２との位置関係に応じて、様々な形状で設計されてもよい。また、第１コード抑え部２０ａは、コード保持部３２に保持された電源コード２２に対して、常に当接している必要はない。第１コード抑え部２０ａは、電源コード２２がコード保持部３２から外れようとしたときに、電源コード２２に当接すれば足りる。
【００３２】
第１コード抑え部２０ａは、コード保持部３２に保持された電源コード２２の複数の位置Ａ、Ｂ、Ｃで当接する（図９参照）。以下、第１コード抑え部２０ａが当接する一つの位置Ａを、電源コード２２の第１位置Ａと称し、第１コード抑え部２０ａが当接する他の一つの位置Ｂを、電源コード２２の第２位置Ｂと称する。電源コード２２の第１位置Ａは、電源コード２２の屈曲部２２ａに位置している。電源コード２２の第２位置Ｂは、電源コード２２の直線部２２ｂに位置している。そして、第１コード抑え部２０ａが当接する他の一つの位置Ｃは、電源コード２２の屈曲部２２ａと直線部２２ｂとの境界に位置している。これらの構成により、電源コード２２は、コード保持部３２から外れることが抑制される。なお、他の実施形態として、第１コード抑え部２０ａは、コード保持部３２に保持された電源コード２２に対し、少なくとも一つの位置で当接すればよい。
【００３３】
図９に示すように、電源コード２２の第１位置Ａにおける長手方向と、電源コード２２の第２位置Ｂにおける長手方向は、互いに異なる。即ち、図９において、第１位置Ａにおける長手方向は上下方向を向いており、第２位置Ｂにおける長手方向は左右方向を向いている。このように、第１コード抑え部２０ａが、電源コード２２の長手方向が異なる複数の位置に当接することで、電源コード２２がコード保持部３２から外れることが、さらに効果的に禁止又は抑制される。
【００３４】
一例ではあるが、第１コード抑え部２０ａは、その一部において、ターミナルベース２０からコード保持部３２に向けて延びる筒形状を有する。この筒形状の部分は、その断面が概して矩形状であり、四つの平坦な側壁を有している。一つの側壁は、電源コード２２の第２位置Ｂに当接しており、他の一つの側壁は、電源コード２２の他の一つの位置Ｃに当接している。第１コード抑え部２０ａが筒形状を有していると、第１コード抑え部２０ａの強度が高まるとともに、第１コード抑え部２０ａは電源コード２２の複数の位置Ｂ、Ｃに当接することができる。
【００３５】
図９、図１０に示すように、ハウジング１２の上側部分４０は、第２コード抑え部４０ａを有する。第２コード抑え部４０ａは、コード保持部３２に保持された電源コード２２に当接して、電源コード２２がコード保持部３２から外れることを抑制する。第２コード抑え部４０ａは、上側部分４０の内上面に設けられており、下側部分３０の内底面に向けて延びている。但し、他の実施形態として、第２コード抑え部４０ａは、コード保持部３２の位置関係に応じて、様々な形状で設計されてもよい。また、第１コード抑え部２０ａと同様に、第２コード抑え部４０ａは、コード保持部３２に保持された電源コード２２に対して、常に当接している必要はない。第２コード抑え部４０ａは、電源コード２２がコード保持部３２から外れようとしたときに、電源コード２２に当接すれば足りる。
【００３６】
第２コード抑え部４０ａは、コード保持部３２に保持された電源コード２２の複数の位置Ｄ、Ｅで当接する（図９参照）。以下、第２コード抑え部４０ａが当接する一つの位置Ｄを、電源コード２２の第３位置Ｄと称し、第２コード抑え部４０ａが当接する他の一つの位置Ｅを、電源コード２２の第４位置Ｅと称する。電源コード２２の第３位置Ｄは、電源コード２２の長手方向において、電源コード２２の第１位置Ａ（あるいは第２位置Ｂ）と、ハウジング１２のコード取り出し口４２との間に位置している。また、電源コード２２の第１位置Ａ及び第２位置Ｂは、電源コード２２の長手方向において、電源コード２２の第３位置Ｄと第４位置Ｅとの間に位置している。即ち、第２コード抑え部４０ａは、第１コード抑え部２０ａの両側において、コード保持部３２に保持された電源コード２２に当接する。
【００３７】
図８、図１０に示すように、ターミナルベース２０は、第１基板抑え部２０ｂと第２基板抑え部２０ｃをさらに有する。第１基板抑え部２０ｂは、ハウジング１２の下側部分３０に組み付けられたフィルタ基板２６に当接する。第２基板抑え部２０ｃは、ハウジング１２の下側部分３０に組み付けられた第１充電基板２８ａに当接する。このような構成によると、ハウジング１２の内部において、フィルタ基板２６や第１充電基板２８ａといった回路基板の位置が安定する。なお、第１基板抑え部２０ｂ及び第２基板抑え部２０ｃの具体的な構造は特に限定されない。第１基板抑え部２０ｂは、ターミナルベース２０とフィルタ基板２６との位置関係に応じて、適宜設計することができる。第２基板抑え部２０ｃについても同様に、ターミナルベース２０と第１充電基板２８ａとの位置関係に応じて、適宜設計することができる。
【００３８】
本実施例の充電器１０を製造するときは、先ず、ハウジング１２の下側部分３０に、回路基板２６、２８ａ、２８ｂ、電源コード２２及びターミナルベース２０が組み付けられる。次いで、ハウジング１２の下側部分３０に、ハウジング１２の上側部分４０が組み付けられる。ハウジング１２の下側部分３０に上側部分４０を組み付けるときは、ハウジング１２の下側部分３０から外部へ延びる電源コード２２を、コード取り出し口４２の位置に維持する必要がある。この点に関して、ハウジング１２の下側部分３０には、コード取り出し口４２に隣接して、電源コード２２の一部を保持するコード保持部３２が設けられている。加えて、ターミナルベース２０には、コード保持部３２に保持された電源コード２２に当接する第１コード抑え部２０ａが設けられている。これにより、ハウジング１２の下側部分３０に上側部分４０が組み付けられるときに、電源コード２２がコード保持部３２から外れることなく、コード取り出し口４２の位置に維持される。従って、充電器１０の製造を効率よく行うことができる。
【００３９】
以上、いくつかの具体例を詳細に説明したが、これらは例示に過ぎず、特許請求の範囲を限定するものではない。特許請求の範囲に記載の技術には、以上に例示した具体例を様々に変形、変更したものが含まれる。本明細書又は図面に説明した技術要素は、単独であるいは各種の組合せによって技術的有用性を発揮するものである。
【符号の説明】
【００４０】
１０：充電器
１２：ハウジング
１４：バッテリインターフェース
１６：バッテリ接続端子
１８：端子カバー
２０：ターミナルベース
２２：電源コード
２２ａ：屈曲部
２４：プラグ
２６：フィルタ基板
２８ａ：第１充電基板
２８ｂ：第２充電基板
３０：ハウジングの下側部分
３２：コード保持部
３２ａ：コード保持部の突出部
４０：ハウジングの上側部分
４２：コード取り出し口
【図１】
2020096412.tif 000003
【図２】
2020096412.tif 000004
【図３】
2020096412.tif 000005
【図４】
2020096412.tif 000006
【図５】
2020096412.tif 000007
【図６】
2020096412.tif 000008
【図７】
2020096412.tif 000009
【図８】
2020096412.tif 000010
【図９】
2020096412.tif 000011
【図１０】
2020096412.tif 000012
【図１１】
2020096412.tif 000013